(57)【要約】【課題】塩化水素と二酸化炭素を含有する混合ガスを水に接触させて、塩酸と未吸収ガスに分離し、該未吸収ガス量を二酸化炭素溶解水を充填した湿式ガスメーターで測定する方法であって、塩化水素と二酸化炭素を含有する混合ガス中の塩化水素の濃度を高精度に、かつ簡易な操作で測定することができ、よって測定精度、操作性の観点から極めて有利な塩化水素と二酸化炭素を含有する混合ガス中の塩化水素の濃度の測定方法を提供する。【解決手段】塩化水素と二酸化炭素を含有する混合ガスを水に接触させて、塩酸と未吸収ガスに分離し、該未吸収ガス量を二酸化炭素溶解水を充填した湿式ガスメーターで測定することを特徴とする塩化水素と二酸化炭素を含有する混合ガス中の塩化水素の濃度の測定方法。【選択図】  なし【特許請求の範囲】
【請求項１】
塩化水素と二酸化炭素を含有する混合ガスを水に接触させて、塩酸と未吸収ガスに分離し、該未吸収ガス量を二酸化炭素溶解水を充填した湿式ガスメーターで測定することを特徴とする塩化水素と二酸化炭素を含有する混合ガス中の塩化水素の濃度の測定方法。
【請求項２】
塩化水素と二酸化炭素を含有する混合ガス中の塩化水素の濃度が８０体積％以上である請求項１記載の塩化水素と二酸化炭素を含有する混合ガス中の塩化水素の濃度の測定方法。
【発明の詳細な説明】
【０００１】
【発明の属する技術分野】
本発明は、塩化水素と二酸化炭素を含有する混合ガス中の塩化水素の濃度の測定方法に関するものである。更に詳しくは、塩化水素と二酸化炭素を含有する混合ガスを水に接触させて、塩酸と未吸収ガスに分離し、該未吸収ガス量を二酸化炭素溶解水を充填した湿式ガスメーターで測定する方法であって、塩化水素と二酸化炭素を含有する混合ガス中の塩化水素の濃度を測定するに際し、塩化水素の濃度を高精度に、かつ簡易な操作で測定することができ、よって測定精度、操作性の観点から極めて有利な塩化水素と二酸化炭素を含有する混合ガス中の塩化水素の濃度の測定方法に関するものである。
【０００２】
【従来の技術】
燃焼、化学反応などに伴って煙道、煙突、ダクトなどに排出されるガス中の塩化水素の濃度を測定する方法としては、試料ガスを水に接触させて、塩酸と未吸収ガスに分離し、該未吸収ガス量をガスメーターで測定し、該塩酸をイオンクロマトグラフィーにより測定する方法（非特許文献１参照。）などが知られている。しかしながら、塩化水素と二酸化炭素を含有する混合ガスの場合は、未吸収ガス量を測定する際、水を充填した湿式ガスメーターを使用すると未吸収ガス量を正確に測定できないという問題がある。
【０００３】
【非特許文献１】
ＪＩＳ  Ｋ  ０１０７  日本規格協会発行
【０００４】
【発明が解決しようとする課題】
かかる現状に鑑み、本発明が解決しようとする課題は、塩化水素と二酸化炭素を含有する混合ガスを水に接触させて、塩酸と未吸収ガスに分離し、該未吸収ガス量を二酸化炭素溶解水を充填した湿式ガスメーターで測定する方法であって、塩化水素と二酸化炭素を含有する混合ガス中の塩化水素の濃度を測定するに際し、塩化水素の濃度を高精度に、かつ簡易な操作で測定することができ、よって測定精度、操作性の観点から極めて有利な塩化水素と二酸化炭素を含有する混合ガス中の塩化水素の濃度の測定方法を提供する点に存するものである。
【０００５】
【課題を解決するための手段】
すなわち、本発明は、塩化水素と二酸化炭素を含有する混合ガスを水に接触させて、塩酸と未吸収ガスに分離し、該未吸収ガス量を二酸化炭素溶解水を充填した湿式ガスメーターで測定して、塩化水素と二酸化炭素を含有する混合ガス中の塩化水素の濃度を測定する方法に係るものである。
【０００６】
【発明の実施の形態】
本発明においては、塩化水素と二酸化炭素を含有する混合ガスを水に接触させて、塩酸と未吸収ガスに分離し、該未吸収ガス量を二酸化炭素溶解水を充填した湿式ガスメーターで測定する必要がある。このことにより、塩化水素と二酸化炭素を含有する混合ガス中の塩化水素の濃度を高精度に、かつ簡易な操作で測定することができる。塩化水素と二酸化炭素を含有する混合ガスとしては、ホスゲン化反応などの工程で副生するものや燃焼、化学反応などに伴って煙道、煙突、ダクトなどに排出されるものがよく用いられる。塩化水素と二酸化炭素を含有する混合ガスを接触させる水の量は、測定操作が終了した時点で塩酸濃度が２０重量％以下となるのが好ましい。二酸化炭素溶解水の調製は、二酸化炭素を水に溶解させることができれば、固体状二酸化炭素（ドライアイス）、ガス状二酸化炭素を水に接触させるなどいかなる方法を使用することができる。
【０００７】
本発明においては、塩化水素と二酸化炭素を含有する混合ガス中の塩化水素の濃度が８０体積％以上であることが好ましく、９０体積％以上であることが更に好ましい。濃度が低すぎる場合は未吸収ガス量が多くなり、乾式ガスメーターなどの他の流量測定器でも測定可能となる。
【０００８】
【実施例】
以下に実施例に基づいて本発明をより詳細に説明するが、本発明はこれら実施例より限定されるものではない。
実施例１
テフロン（登録商標）製ガス吸収瓶（１Ｌ）に水を９００．２１ｇ入れ、その後方に二酸化炭素濃度が０．１３重量％の二酸化炭素溶解水を３４９６ｇ充填した湿式ガスメーター（品川計測器製作所製  型式ＷＥ−１Ｂ）を接続した。塩化水素を３９２Ｎｍｌ／ｍｉｎ（０．０１７５ｍｏｌ／ｍｉｎ）、二酸化炭素を５．６Ｎｍｌ／ｍｉｎ（０．０００２５ｍｏｌ／ｍｉｎ）で供給し、テフロン（登録商標）製チューブ内で混合した後にテフロン（登録商標）製吸収瓶に供給した（塩化水素の濃度は９８．６体積％と計算される）。３０分後に塩化水素と二酸化炭素の供給を停止した。テフロン（登録商標）製吸収瓶の重量増加を天秤にて測定すると、０分〜３０分の水への塩化水素の捕集量は１９．１７ｇ（０．５２５ｍｏｌ）であった。また、供給を開始してから１０分〜３０分の湿式ガスメーターでの未吸収ガスの測定量は１１５Ｎｍｌ（０．００５１３ｍｏｌ）であった。これより、塩化水素の濃度は９８．６体積％と計算される。
【０００９】
比較例１
テフロン（登録商標）製ガス吸収瓶（１Ｌ）に水を９００．０３ｇ入れ、その後方に水を３５０１ｇ充填した湿式ガスメーター（品川計測器製作所製  型式ＷＥ−１Ｂ）を接続した。塩化水素を３９２Ｎｍｌ／ｍｉｎ（０．０１７５ｍｏｌ／ｍｉｎ）、二酸化炭素を５．２Ｎｍｌ／ｍｉｎ（０．０００２３ｍｏｌ／ｍｉｎ）で供給し、テフロン（登録商標）製チューブ内で混合した後にテフロン（登録商標）製吸収瓶に供給した（塩化水素の濃度は９８．７体積％と計算される）。３０分後に塩化水素と二酸化炭素の供給を停止した。テフロン（登録商標）製吸収瓶の重量増加を天秤にて測定すると、０分〜３０分の水への塩化水素捕集量は１９．１６ｇ（０．５２５ｍｏｌ）であった。また、供給を開始してから１０分〜３０分の湿式ガスメーターでの未吸収ガスの測定量は６４Ｎｍｌ（０．００２８６ｍｏｌ）であった。これより、塩化水素の濃度は９９．２体積％と計算される。
【００１０】
【発明の効果】
以上説明したとおり、本発明により、塩化水素と二酸化炭素を含有する混合ガスを水に接触させて、塩酸と未吸収ガスに分離し、該未吸収ガス量を二酸化炭素溶解水を充填した湿式ガスメーターで測定する方法であって、塩化水素と二酸化炭素を含有する混合ガス中の塩化水素の濃度を高精度に、かつ簡易な操作で測定することができ、よって測定精度、操作性の観点から極めて有利な塩化水素と二酸化炭素を含有する混合ガス中の塩化水素の濃度の測定方法を提供することができた。